(57)【特許請求の範囲】
【請求項１】
引戸の縦框に取り付けられて当該引戸が窓枠の案内レールより外れることを防止する引戸外れ止め装置であって、
前記案内レールに摺動可能に係合するレールガイド部を備え、引戸の縦框に固定される固定部材と、
前記固定部材にスライド可能に設けられ、前記案内レールに当接して引戸の外れ止めを行う外れ止め作用部を有する外れ止め部材と、
前記固定部材と前記外れ止め部材との間に設けられ、前記外れ止め作用部が前記案内レールに当接する方向に前記外れ止め部材を付勢するばね手段とを有し、
前記固定部材には、前記外れ止め部材を前記固定部材に対してスライド不能に係止する係止位置と前記外れ止め部材のスライドを自由に許す解放位置との間を移動可能な係止部材と、
前記係止部材を前記係止位置と前記解放位置の何れか一方に選択的に位置させる操作レバーとが設けられており、
前記操作レバーは、前記窓枠の縦枠に当接可能に設けられ、前記縦枠に当接することにより前記係止部材を前記解放位置より前記係止位置に位置させる引戸外れ止め装置。
【請求項２】
引戸の縦框に取り付けられて当該引戸が窓枠の案内レールより外れることを防止する引戸外れ止め装置であって、
前記案内レールに摺動可能に係合するレールガイド部を備え、引戸の縦框に固定される固定部材と、
前記固定部材にスライド可能に設けられ、前記案内レールに当接して引戸の外れ止めを行う外れ止め作用部を有する外れ止め部材と、
前記固定部材と前記外れ止め部材との間に設けられ、前記外れ止め作用部が前記案内レールに当接する方向に前記外れ止め部材を付勢するばね手段とを有し、
前記固定部材には、前記外れ止め部材を前記固定部材に対してスライド不能に係止する係止位置と前記外れ止め部材のスライドを自由に許す解放位置との間を移動可能な係止部材と、
前記係止部材を前記係止位置と前記解放位置の何れか一方に選択的に位置させる操作レバーとが設けられており、
前記固定部材が前記外れ止め部材と重なり合う部位には、当該固定部材を前記縦框に固定するための締結具が貫通する貫通孔が形成されており、
前記固定部材には、前記貫通孔が外部に露呈する位置に前記外れ止め部材を前記ばね手段のばね力に抗して係止する係止部が形成されている引戸外れ止め装置。
【請求項３】
前記外れ止め部材には、当該外れ止め部材の前記固定部材に対するスライド方向と同方向に一連のラック歯を有するラックが形成され、
前記係止部材は、前記ラック歯の少なくとも一つに離脱可能に噛合する係止歯を有し、前記係止位置にて前記係止歯が前記ラック歯と噛合し、前記解放位置にて前記係止歯が前記ラック歯との噛合より離脱する請求項１または２に記載の引戸外れ止め装置。
【請求項４】
請求項１から３の何れか一項に記載の引戸外れ止め装置を縦框に取り付けられた引戸。
【発明の詳細な説明】
【技術分野】
【０００１】
本発明は、引戸の外れ止め装置に関し、特に、住宅のサッシ用引き違い網戸等の引戸が窓枠の案内レールより外れることを防止する外れ止め装置に関するものである。
【背景技術】
【０００２】
サッシ用引き違い網戸等の引戸が窓枠の案内レールより外れることを防止するために、外れ止め装置を引戸の縦框に取り付けることが行われている。
【０００３】
この種の外れ止め装置として、窓枠（レール枠）の上側の案内レール（上側レール）に係合する案内ローラを支持したローラ支持部材と、上側レールが嵌入する上方開口の嵌入溝を形成された外れ止め部材と、案内ローラが上側レールに係合する方向にローラ支持部材を付勢するばね部材と、ローラ支持部材と外れ止め部材とが引戸の縦框に取り付けられた状態よりも相対的に離反した位置で、ローラ支持部材を外れ止め部材に対して上下方向にスライド不能とするスライド規制手段とを有するものがある（例えば、特許文献１）。
【０００４】
この外れ止め装置では、取付作業時にはスライド規制手段を作用させて外れ止め部材に対してローラ支持部材を上下方向にスライド不能にした状態で、案内ローラを上側レールの下端に当接させて固定すれば、上側レールの下端が嵌入溝に嵌入した状態でローラ支持部材を上下方向にスライド可能な位置に固定することができる。これにより、外れ止め装置を、外れ止め機能を発揮する適切な位置に容易且つ迅速に取り付けることができる。その上、取付状態では外れ止め部材に対してローラ支持部材が上下方向にスライド可能になり、ばね部材によって上方へ付勢されているローラ支持部材は案内ローラをもって上側レールに押し付けられ、その反力により引戸は下方に押し下げられるため、開閉時の引戸の浮き上がり及び弾みを防止して引戸が窓枠から外れることを防ぐことができる。
【先行技術文献】
【特許文献】
【０００５】
【特許文献１】特開２００９−１２７３３５号公報
【発明の概要】
【発明が解決しようとする課題】
【０００６】
上述した従来の外れ止め装置は、外れ止め機能を発揮する適切な位置に容易且つ迅速に取り付けられるが、しかし、これは、外れ止め装置を引戸の縦框に取り付ける取付作業の利便性を図ったものであり、網戸のように清掃のために引戸を窓枠より取り外す際には、ローラ支持部材と外れ止め部材とを縦框に共締めしているビスを、工具を用いて弛めなくてはならず、清掃等のためにユーザが引戸を窓枠より取り外す利便性についての考慮がなされていない。
【０００７】
このため、従来の外れ止め装置を取り付けられた網戸等では、清掃等のための取り外し、再取り付けが面倒であり、工具を使い慣れていないユーザでは、網戸の取り外し、再取り付けを行うことができないことが考えられる。また、ユーザによる再取り付けが適切に行われないと、外れ止め装置が適切に機能せず、引戸が窓枠から外れる虞がある。
【０００８】
本発明が解決しようとする課題は、網戸等の引戸の清掃等において、引戸の取り外し、再取り付けを、工具を用いることなくユーザが簡便且つ適切に行えるようにすることである。更には、ユーザによる引戸の再取り付け後も、外れ止め装置が必然的に有効作用状態になり、外れ止め装置の戻し忘れを回避することである。
【課題を解決するための手段】
【０００９】
本発明による引戸外れ止め装置は、引戸の縦框に取り付けられて当該引戸が窓枠の案内レールより外れることを防止する引戸外れ止め装置であって、前記案内レールに摺動可能に係合するレールガイド部を備え、引戸の縦框に固定される固定部材と、前記固定部材にスライド可能に設けられ、前記案内レールに当接して引戸の外れ止めを行う外れ止め作用部を有する外れ止め部材と、前記固定部材と前記外れ止め部材との間に設けられ、前記外れ止め作用部が前記案内レールに当接する方向に前記外れ止め部材を付勢するばね手段とを有し、前記固定部材には、前記外れ止め部材を前記固定部材に対してスライド不能に係止する係止位置と前記外れ止め部材のスライドを自由に許す解放位置との間を移動可能な係止部材と、前記係止部材を前記係止位置と前記解放位置の何れか一方に選択的に位置させる操作レバーとが設けられている。
【００１０】
本発明による引戸外れ止め装置は、好ましくは、前記外れ止め部材には、当該外れ止め部材の前記固定部材に対するスライド方向と同方向に一連のラック歯を有するラックが形成され、前記係止部材は、前記ラック歯の少なくとも一つに離脱可能に噛合する係止歯を有し、前記係止位置にて前記係止歯が前記ラック歯と噛合し、前記解放位置にて前記係止歯が前記ラック歯との噛合より離脱する。
【００１１】
本発明による引戸外れ止め装置は、好ましくは、前記操作レバーは、前記窓枠の縦枠に当接可能に設けられ、前記縦枠に当接することにより前記係止部材を前記解放位置より前記係止位置に位置させる。
【００１２】
本発明による引戸外れ止め装置は、好ましくは、前記固定部材が前記外れ止め部材と重なり合う部位に、当該固定部材を前記縦框に固定するための締結具が貫通する貫通孔が形成されており、前記固定部材には、前記貫通孔が外部に露呈する位置に前記外れ止め部材を前記ばね手段のばね力に抗して係止する係止部が形成されている。
【００１３】
本発明による引戸は、上述の発明による引戸外れ止め装置を縦框に取り付けられている。
【発明の効果】
【００１４】
本発明による引戸外れ止め装置によれば、固定部材をビス等の適当な締結具によって引戸の縦框に取り付ければ、その後は、操作レバーの操作によって係止部材を解放位置に位置させると、ばね手段のばね力によって外れ止め部材が案内レールの側に移動し、当該外れ止め部材の外れ止め作用部が案内レールに当接して引戸の外れ止めを行う位置に位置する。この状態で、操作レバーの操作によって係止部材を係止位置に位置させると、外れ止め部材が固定部材に対してスライド不能に係止され、外れ止め作用部が上述の引戸の外れ止めを行う位置に固定される。これにより、引戸外れ止め装置が有効に機能し、引戸が窓枠から外れることが防止される。
【００１５】
清掃等のために、引戸を窓枠より取り外す場合には、操作レバーを操作して係止部材を解放位置に位置させ、外れ止め部材をばね手段のばね力に抗して案内レールより離れる側に手にて移動させて外れ止め部材の外れ止め作用部を案内レールとの当接位置より引き離し、外れ止めを解除する。これにより、引戸を窓枠より取り外すことができる。
【００１６】
引戸を窓枠に再取り付ける場合には、外れ止め部材をばね手段のばね力に抗して案内レールより離れる側に手にて移動させた状態で、固定部材のレールガイド部を案内レールに係合させる。その後、外れ止め部材を手放すと、ばね手段のばね力によって外れ止め部材が案内レールの側に移動し、当該外れ止め部材の外れ止め作用部が案内レールに当接し、引戸の外れ止めを行う位置に位置する。この状態で、操作レバーの操作によって係止部材を係止位置に位置させれば、外れ止め部材が固定部材に対してスライド不能に係止され、外れ止め作用部が上述の引戸の外れ止めを行う位置に固定される。これにより、引戸外れ止め装置が再び有効に機能し、引戸が窓枠から外れることが防止される。
【００１７】
このように、本発明による引戸外れ止め装置によれば、網戸等の引戸の清掃等において、引戸の取り外し、再取り付けを、操作レバーの操作によって、工具を用いることなくユーザが簡便且つ適切に行うことができる。
【００１８】
更に、操作レバーが窓枠の縦枠に当接可能に設けられ、操作レバーが縦枠に当接することにより、係止部材を解放位置より係止位置に位置させる構造を採用すれば、引戸の再取り付け後、引戸を、一旦、閉戸位置に位置させると、操作レバーが縦枠に当接することにより操作レバーが動き、係止部材が自動的に解放位置より係止位置に位置するので、外れ止め装置が必然的に有効作用状態になり、外れ止め装置の戻し忘れを回避できる。
【図面の簡単な説明】
【００１９】
【図１】本発明による引戸外れ止め装置の一つの実施例の解放状態を示す斜視図。
【図２】本発明による引戸外れ止め装置の一つの実施例の係止状態を示す斜視図。
【図３】本発明による引戸外れ止め装置の一つの実施例を示す正面図。
【図４】本実施例による引戸外れ止め装置の固定部材の正面図。
【図５】本実施例による引戸外れ止め装置の網戸への取り付けを示す斜視図。
【図６】本実施例による引戸外れ止め装置の操作レバーの窓枠との当たりを示す斜視図。
【発明を実施するための形態】
【００２０】
この発明による引戸外れ止め装置の一つの実施例を、図１〜図６を参照して説明する。
【００２１】
本実施例による引戸外れ止め装置１０は、固定部材２０と、外れ止め部材５０とを有する。固定部材２０、外れ止め部材５０は、各々、個別の樹脂成形品である。
【００２２】
固定部材２０は縦長帯状部２２を有し、縦長帯状部２２に、取付ねじ、例えば、セルフタッピングねじ９０（図５参照)が貫通する貫通孔２４（図４参照)が貫通形成されている。固定部材２０は、貫通孔２４に通されたセルフタッピングねじ９０によって引戸、例えば、網戸１００の縦框１０２（図５参照)に固定される。縦長帯状部２２の上端部には、レールガイド部として、窓枠１１０の板状の上側案内レール１１２に摺動可能に係合する上方開口の深いレールガイド凹溝２６が形成されている。
【００２３】
固定部材２０は縦長帯状部２２の上端部より背面側に突出したブラケット部２８を有する。ブラケット部２８は、縦長帯状部２２と一体成形されており、枢軸部３０によってレールガイド部材３２を回動可能に支持している。レールガイド部材３２は、図示されてない内蔵の捩りコイルばねによって上向きに付勢され、浅い凹溝部３４をもって上側案内レール１１２に摺動可能に係合する。ブラケット部２８の下底面３６は、鉛直な縦長帯状部２２に対して９０度の角度をもって水平面をなし、網戸１００の上部横框１０４（図５参照)に当接することにより、網戸１００に対する固定部材２０の上下方向の取り付け位置を決めている。
【００２４】
縦長帯状部２２の前面の両側部には、鉛直方向、つまり縦長帯状部２２の長手方向に沿って延在するスライドガイド部３８が形成されている。スライドガイド部３８には、外れ止め部材５０のスライド係合部５２が摺動可能に係合している。これにより、外れ止め部材５０は固定部材２０に対して上下方向にスライド可能である。
【００２５】
外れ止め部材５０の上端部には、上側案内レール１１２の先端（下端面）１１２Ａに当接して網戸１００の窓枠１１０よりの外れ止めを行う外れ止め作用部５４と、手操作部５６とが形成されている。
【００２６】
縦長帯状部２２の下端部と外れ止め部材５０の下端部には各々ばね受け部４０、５８が形成されている。ばね受け部４０、５８との間には圧縮コイルばね８０が取り付けられている。圧縮コイルばね８０は、固定部材２０に対して外れ止め部材５０を、上方、つまり、外れ止め作用部５４が上側案内レール１１２の先端１１Ａに当接する方向に付勢している。なお、ばね受け部４０には圧縮コイルばね８０の座屈変形を防止するためのばねカイド棒状部４２が突出形成されている。
【００２７】
外れ止め部材５０の前面には、外れ止め部材５０の固定部材２０に対するスライド方向と同方向、即ち上下方向に一連のラック歯６０を有するラック部６２が形成されている。
【００２８】
縦長帯状部２２の前面には係止部材支持片部４４が突出形成されている。係止部材支持片部４４はラック部６２の幅方向中央部に形成された縦長のスリット状開口６４を貫通してラック部６２の前方に突出している。この係止部材支持片部４４の前方突出部分には矩形駒状の係止部材７０が前後方向にのみ変位可能に取り付けられている。
【００２９】
係止部材７０は、ラック部６２との対向面にラック歯６０の少なくとも一つに離脱可能に噛合する係止歯７２を形成されている。係止部材７０は、図２に示されているように、係止歯７２がラック歯６０と噛合して外れ止め部材５０を固定部材２０に対してスライド不能に係止する係止位置と、図１に示されているように、係止歯７２がラック歯６０との噛合より離脱して外れ止め部材５０のスライドを自由に許す解放位置との間に前後移動可能になっている。
【００３０】
係止部材支持片部４４は、前方突出部分において枢支部４６により操作レバー７４を回動可能に支持している。操作レバー７４は、トグル部７６をもって係止部材７０と係合し、図１に示されているように、前方に突出した回動位置では係止部材７０を解放位置に位置させ、図２に示されているように、外れ止め部材５０の長手方向に沿って倒された回動位置では係止部材７０を係止位置に位置させる。操作レバー７４はトグル部７６の形状により、係止位置と解放位置の何れか一方に選択的に安定状態でホールド（自己保持）される。操作レバー７４には手操作部７８が形成されている。
【００３１】
操作レバー７４は、前方に突出した回動位置では、網戸１００の縦框１０２より前方に突出して窓枠１１０の縦枠１１４（図６参照)に当接可能で、縦枠１１４に当接することにより転倒方向に回動し、係止部材７０１を解放位置より係止位置に移動させる。
【００３２】
前述の貫通孔２４は、外れ止め作用部５４が上側案内レール１１２の先端１１２Ａに突き当る位置にある状態下では、締結具であるセルフタッピングねじ９０の挿入方向（固定部材２０と外れ止め部材５０とを積層方向に貫通する方向）で見て、固定部材２０が外れ止め部材５０と重なり合う部位に設けられている。この設計において、固定部材２０の縦長帯状部２２の前面には、外れ止め部材５０を、圧縮コイルばね８０のばね力に抗して、貫通孔２４が外部に露呈する位置で固定部材２０に係止する係止突起４８が形成されている。
【００３３】
引戸外れ止め装置１０の網戸１００に対する取り付けは、施工者によって行われる作業であり、係止突起４８によって外れ止め部材５０を、圧縮コイルばね８０のばね力に抗して、貫通孔２４が外部に露呈する位置に係止し、この状態で、貫通孔２４にセルフタッピングねじ９０を通して固定部材２０を網戸１００の縦框１０２に固定することにより行われる。固定部材２０の高さ方向の取り付け位置は、ブラケット部２８の下底面３６を網戸１００の上部横框１０４に当接させることにより、適正位置に決められる。
【００３４】
固定部材２０を網戸１００の縦框１０２に固定した後は、係止突起４８による外れ止め部材５０の係止を解除する。
【００３５】
この後、操作レバー７４の操作によって係止部材７０を、図１に示されているように、解放位置に位置させると、係止部材７０の係止歯７２が外れ止め部材５０のラック歯６０との噛合より離脱し、外れ止め部材５０のスライドを自由に許す状態になる。これにより、外れ止め部材５０は、圧縮コイルばね８０のばね力によって上方、つまり上側案内レール１１２の側に移動し、外れ止め作用部５４が上側案内レール１１２の先端１１２Ａに突き当り、網戸１００の外れ止めを行う位置に位置する。
【００３６】
この状態で、操作レバー７４の操作によって係止部材７０を係止位置に位置させると、係止部材７０の係止歯７２が外れ止め部材５０のラック歯６０と噛合し、外れ止め部材５０が固定部材２０に対してスライド不能に係止される。これにより、外れ止め作用部５４が上述の網戸１００の外れ止めを行う適正位置に固定され、引戸外れ止め装置１０が有効に機能し、網戸１００が窓枠１１０から外れることが防止される。
【００３７】
清掃等のために、ユーザが網戸１００を窓枠１１０より取り外す場合には、操作レバー７４を手にて引き出す操作をして係止部材７０を図１に示されている解放位置に位置させ、外れ止め部材５０を圧縮コイルばね８０のばね力に抗して上側案内レール１１２より離れる側、つまり、下側に移動させ、外れ止め部材５０の外れ止め作用部５４を上側案内レール１１２との当接位置より引き離し、外れ止めを解除する。これにより、網戸１００を窓枠１１０より取り外すことができるようになる。
【００３８】
網戸１００を窓枠１１０に再取り付ける場合には、外れ止め部材５０を圧縮コイルばね８０のばね力に抗して上側案内レール１１２より離れる側に手にて移動させ、この状態で、固定部材２０のレールガイド凹溝２６、レールガイド部材３２の凹溝部３４を上側案内レールに係合させる。
【００３９】
その後、外れ止め部材５０を手放すと、圧縮コイルばね８０のばね力によって外れ止め部材５０が上側案内レール１１２の側に移動し、外れ止め部材５０の外れ止め作用部５４が上側案内レール１１２に先端１１２Ａに当接し、外れ止め部材５０が網戸１００の外れ止めを適正に行う位置に自動的に位置する。
【００４０】
この状態で、操作レバー７４の操作によって係止部材７０を図２に示されている係止位置に位置させれば、外れ止め部材５０が固定部材２０に対してスライド不能に係止され、外れ止め作用部５４が網戸１００の外れ止めを適切に行う位置に固定される。これにより、引戸外れ止め装置１０が再び有効に機能し、網戸１００が窓枠１１０から外れることが防止される。
【００４１】
このように本実施例による引戸外れ止め装置１０によれば、網戸１００等の引戸の清掃等において、網戸１１０の取り外し、再取り付けを、操作レバー７４の操作によって、工具を用いることなくユーザが簡便且つ適切に行うことができる。
【００４２】
また、ユーザが操作レバー７４を係止位置に押し戻し忘れても、引戸の再取り付け後、網戸１００を、一旦、閉戸位置に位置させると、操作レバー７４が窓枠１１０の縦枠１１４に当接することにより、操作レバー７４が倒れる方向に動き、係止部材７０が自動的に解放位置より係止位置に位置する。これにより、網戸１００を、一旦、閉戸位置に位置させさえすれば、引戸外れ止め装置１０が必然的に有効作用状態になり、引戸外れ止め装置１０の戻し忘れを未然に回避できる。
【００４３】
なお、上述の実施例では、係止歯７２とラック歯６０との噛合によって外れ止め部材５０を固定部材２０に対してスライド不能に係止したが、この係止は、係止部材７０を外れ止め部材５０に押し付けることにより得られる摩擦力により行われてもよい。
【符号の説明】
【００４４】
１０  引戸外れ止め装置
２０  固定部材
２２  縦長帯状部
２４  貫通孔
２６  レールガイド凹溝
３２  レールガイド部材
４４  係止部材支持片部
４８  係止突起
５０  外れ止め部材
５４  外れ止め作用部
６０  ラック歯
６２  ラック部
７０  係止部材
７２  係止歯
７４  操作レバー
９０  セルフタッピングねじ
１００  網戸
１０２  縦框
１１０  窓枠
１１２  上側案内レール
１１４  縦枠
【図１】
0005462545.tif 000002
【図２】
0005462545.tif 000003
【図３】
0005462545.tif 000004
【図４】
0005462545.tif 000005
【図５】
0005462545.tif 000006
【図６】
0005462545.tif 000007